(57)【要約】    【課題】  所定期間内にどの程度のイベントが発生しているのかを知ることが容易であり、当該イベントの空間的分布も容易に把握できる装置を提供する。    【解決手段】  時間イベント表示手段２４は、記録部２０からイベントデータを読み出し、イベント発生件数を時系列のヒストグラムとして時間領域２８に表示する。マーカ表示手段２６は、時間軸１２上で移動操作可能なマーカ１０を表示する。空間イベント表示手段２２は、記録部２０から地図データを読み出し、空間領域１４に表示する。さらに、前記マーカ１０によって選択された時点において発生したイベントのデータを記録部２０から読み出し、空間領域１４に表示する。したがって、ユーザは、イベント発生のヒストグラムを時系列に把握しながら、マーカ１０を移動させ、所望の時点のイベント発生状況を地図上で確認することができる。【選択図】  図１
2015225323.tif 000002
【特許請求の範囲】
【請求項１】
時間軸と値軸を有する時間領域において、前記時間軸に沿って、イベントに関する値をイベントの時間分布として表示する時間イベント表示手段と、
第一の空間軸と第二の空間軸を有する空間領域において、前記時間イベント表示手段によって表示されている前記イベントの少なくとも一部または全部のイベントの状況をイベントの空間分布として表示する空間イベント表示手段と、
を備えたイベント表示装置。
【請求項２】
請求項１のイベント表示装置において、
時間軸に沿って移動操作可能なマーカまたは、時間軸に沿って移動操作可能な第１マーカおよび第２マーカを表示するマーカ表示手段をさらに備え、
空間イベント表示手段または時間イベント表示手段の少なくとも一方の表示形態が、前記マーカまたは前記第１マーカおよび第２マーカの位置に基づいて決定されることを特徴とするイベント表示装置。
【請求項３】
イベント表示装置をコンピュータによって実現するためのイベント表示プログラムであって、コンピュータを、
時間軸と値軸を有する時間領域において、前記時間軸に沿って、イベントに関する値をイベントの時間分布として表示する時間イベント表示手段と、
第一の空間軸と第二の空間軸を有する空間領域において、前記時間イベント表示手段によって表示されている前記イベントの少なくとも一部または全部のイベントの状況をイベントの空間分布として表示する空間イベント表示手段として機能させるためのイベント表示プログラム。
【請求項４】
請求項３のイベント表示プログラムにおいて、
前記プログラムは、コンピュータを、時間軸に沿って移動操作可能なマーカまたは、時間軸に沿って移動操作可能な第１マーカおよび第２マーカを表示するマーカ表示手段としてさらに機能させるものであり、
空間イベント表示手段または時間イベント表示手段の少なくとも一方の表示形態が、前記マーカまたは前記第１マーカおよび第２マーカの位置に基づいて決定されることを特徴とするイベント表示プログラム。
【請求項５】
空間領域において、イベントの状況をイベントの空間分布として表示する空間イベント表示手段と、
時間軸に沿って、上記イベントの状況をイベントの時間分布として表示する時間イベント表示手段と、
時間軸に沿って移動操作可能な第１マーカおよび第２マーカを表示するマーカ表示手段と、
を備え、
空間イベント表示手段または時間イベント表示手段の少なくとも一方の表示形態が、前記第１マーカおよび第２マーカの位置に基づいて決定されることを特徴とするイベント表示装置。
【請求項６】
イベント表示装置をコンピュータによって実現するためのイベント表示プログラムであって、コンピュータを、
空間領域において、イベントの状況をイベントの空間分布として表示する空間イベント表示手段と、
時間軸に沿って、上記イベントの状況をイベントの時間分布として表示する時間イベント表示手段と、
時間軸に沿って移動操作可能な第１マーカおよび第２マーカを表示するマーカ表示手段として機能させるイベント表示プログラムであって、
空間イベント表示手段または時間イベント表示手段の少なくとも一方の表示形態が、前記第１マーカおよび第２マーカの位置に基づいて決定されることを特徴とするイベント表示プログラム。
【請求項７】
請求項１〜６のいずれか装置またはプログラムにおいて、
前記空間イベント表示手段は、前記マーカまたは前記第１マーカと前記第２マーカによって決定される期間内に発生したイベントを表示することを特徴とする装置またはプログラム。
【請求項８】
請求項１〜７のいずれかの装置またはプログラムにおいて、
前記時間イベント表示手段は、前記イベントの状況として、イベントに関する値を表示することを特徴とする装置またはプログラム。
【請求項９】
請求項１〜８のいずれかの装置またはプログラムにおいて、
前記空間イベント表示手段は、前記イベントの状況として、イベントに関する値を表示することを特徴とする装置またはプログラム。
【請求項１０】
請求項１〜９のいずれかの装置またはプログラムにおいて、
前記空間イベント表示手段は、前記イベントの時間分布において所定のしきい値を超えたイベントを表示することを特徴とする装置またはプログラム。
【請求項１１】
請求項１〜１０のいずれかの装置またはプログラムにおいて、
前記空間イベント表示手段は、前記イベントの時間分布において所定のしきい値を超えたイベントと超えないイベントとを区別して表示することを特徴とする装置またはプログラム。
【請求項１２】
請求項１１の装置またはプログラムにおいて、
前記しきい値を超えたイベントと超えないイベントの表示形態の区別は、前記空間イベント表示手段および前記時間イベント表示手段の双方において共通していることを特徴とする装置またはプログラム。
【請求項１３】
請求項１０〜１２のいずれかの装置またはプログラムにおいて、
前記時間イベント表示手段は、前記しきい値をイベントの時間分布上に表示することを特徴とする装置またはプログラム。
【請求項１４】
請求項１０〜１３のいずれかの装置またはプログラムにおいて、
前記しきい値は、イベントの時間分布上において非直線として表示されることを特徴とする装置またはプログラム。
【請求項１５】
請求項１〜１４のいずれかの装置またはプログラムにおいて、
前記イベントの空間分布を、複数の領域に分割し、
前記時間イベント表示手段は、各時点におけるイベントに関する量を、上記領域ごとに区別して表示することを特徴とする装置またはプログラム。
【請求項１６】
請求項１〜１５のいずれかの装置またはプログラムにおいて、
前記時間イベント表示手段は、一つのイベントの空間分布に対して、複数のイベントの時間分布を表示することを特徴とする装置またはプログラム。
【請求項１７】
請求項７〜１６のいずれかの装置またはプログラムにおいて、
前記マーカ表示手段は、一つの時間軸上に、複数組の第１マーカおよび第２マーカを表示することを特徴とする装置またはプログラム。
【請求項１８】
請求項７〜１７のいずれかの装置またはプログラムにおいて、
前記マーカ表示手段は、前記装置が現在記録しているイベントの時間的範囲を示すデータ範囲マーカを時間軸上にさらに表示することを特徴とする装置またはプログラム。
【請求項１９】
請求項１〜１８のいずれかの装置またはプログラムにおいて、
前記空間イベント表示手段は、  前記マーカによって指定された期間または前記第１マーカと第２マーカによって指定された期間において、対象が空間的に移動した場合には、当該対象の軌跡を表示することを特徴とする装置またはプログラム。
【請求項２０】
請求項１〜１９のいずれかの装置またはプログラムにおいて、
前記マーカが移動させられると、前記空間イベント表示手段は、当該マーカによって指定された時間範囲におけるイベントを表示するように、表示を変化させ、
前記イベントの属性が時間経過とともに変化する場合には、変化の時点から時間経過とともに大きさの変化する図形を当該対象上に表示することを特徴とする装置またはプログラム。
【請求項２１】
請求項７〜２０のいずれかの装置において、
再生指示が与えられると、第１マーカおよび第２マーカによって指定された時間範囲におけるイベントを、時間経過とともに、前記空間領域に表示するイベント再生手段をさらに備えたことを特徴とする装置。
【請求項２２】
請求項７〜２０のいずれかのプログラムにおいて、
前記コンピュータを、再生指示が与えられると、第１マーカおよび第２マーカによって指定された時間範囲におけるイベントを、時間経過とともに、前記空間領域に表示するイベント再生手段としてさらに機能させることを特徴とするプログラム。
【請求項２３】
請求項２１の装置または請求項２２のプログラムにおいて、
前記イベントが空間領域において時間経過とともに移動する場合には、空間領域にその軌跡を表示することを特徴とする装置またはプログラム。
【請求項２４】
請求項２１〜２３のいずれかの装置またはプログラムにおいて、
前記イベントの属性が時間経過とともに変化する場合には、変化の時点から時間経過とともに大きさの変化する図形を当該オブジェクト上に表示することを特徴とする装置またはプログラム。
【請求項２５】
請求項１〜２４の装置またはプログラムにおいて、
前記空間イベント表示手段は、前記空間領域に、さらに地図または図面を表示することを特徴とする装置またはプログラム。
【請求項２６】
請求項１〜２５の装置またはプログラムにおいて、
前記イベント表示装置は、サーバ装置と通信可能な端末装置であり、
当該端末装置は、サーバ装置から地図または図面のデータおよびイベントのデータを受信し、これらに基づいて表示を行うことを特徴とする装置またはプログラム。
【請求項２７】
請求項２６の装置またはプログラムにおいて、
前記端末装置は、前記サーバ装置から、前記イベントの時系列ヒストグラムのデータをさらに受信し、これに基づいて表示を行うことを特徴とする装置またはプログラム。
【請求項２８】
請求項１〜２７の装置またはプログラムにおいて、
前記イベント装置は、端末装置と通信可能なサーバ装置であり、
前記各表示手段は、前記端末装置において各表示を行うために、前記端末装置に対し各表示のためのデータを送信することを特徴とする装置またはプログラム。
【発明の詳細な説明】
【技術分野】
【０００１】
この発明は、地図などの上にイベントを表示するイベント表示装置に関するものである。
【背景技術】
【０００２】
地図などの上にイベントを表示する装置が実用化されている。図２６に、このようなイベント表示装置における表示例を示す。下部には、時間軸４の上を移動操作可能なスライダ２が設けられている。上部の空間領域６には、地図が表示され、これに重ねてイベント８が表示されている。この例では、イベント８として地震が表示されており、円の中心が震源、円の大きさがマグニチュードを表すように表示されている。スライダ２を移動させると、その年月における地震の発生が表示されることになる。
【発明の概要】
【発明が解決しようとする課題】
【０００３】
しかしながら、上記のような従来技術においては、スライダ２を移動させることによって、所定の時点におけるイベントの表示を行うことができるものの、各時点におけるイベントがどのように分布しているかは、スライダ２を移動させてみないことには分からなかった。
【０００４】
また、所定期間内にどの程度のイベントが発生しているのかを知ることも容易ではなかった。
【０００５】
この発明は、上記の問題のいずれかを解決した装置を提供することを目的とする。
【課題を解決するための手段】
【０００６】
以下、この発明における独立したいくつかの特徴を以下に示す。
【０００７】
(1)(3)この発明に係るイベント表示装置は、時間軸と値軸を有する時間領域において、前記時間軸に沿って、イベントに関する値をイベントの時間分布として表示する時間イベント表示手段と、第一の空間軸と第二の空間軸を有する空間領域において、前記時間イベント表示手段によって表示されている前記イベントの少なくとも一部または全部のイベントの状況をイベントの空間分布として表示する空間イベント表示手段とを備えている。
【０００８】
したがって、イベントに関する値を時間分布として確認しつつ、イベントの状況を空間分布として把握することができる。
【０００９】
(2)(4)この発明に係るイベント表示装置は、時間軸に沿って移動操作可能なマーカまたは、時間軸に沿って移動操作可能な第１マーカおよび第２マーカを表示するマーカ表示手段をさらに備え、空間イベント表示手段または時間イベント表示手段の少なくとも一方の表示形態が、前記マーカまたは前記第１マーカおよび第２マーカの位置に基づいて決定されることを特徴としている。
【００１０】
したがって、マーカまたは２つのマーカを移動させて適切な期間を選択することにより、所望のイベント表示を行うことができる。
【００１１】
(5)(6)この発明に係るイベント表示装置は、空間領域において、イベントの状況をイベントの空間分布として表示する空間イベント表示手段と、時間軸に沿って、上記イベントの状況をイベントの時間分布として表示する時間イベント表示手段と、時間軸に沿って移動操作可能な第１マーカおよび第２マーカを表示するマーカ表示手段とを備え、空間イベント表示手段または時間イベント表示手段の少なくとも一方の表示形態が、前記第１マーカおよび第２マーカの位置に基づいて決定されることを特徴としている。
【００１２】
したがって、２つのマーカを移動させて適切な期間を選択することにより、所望のイベント表示を行うことができる。
【００１３】
(7)この発明に係るイベント表示装置は、空間イベント表示手段は、前記マーカまたは前記第１マーカと前記第２マーカによって決定される期間内に発生したイベントを表示することを特徴としている。
【００１４】
したがって、２つのマーカを操作し、それによって決定される期間のイベントを表示することができる。
【００１５】
(8)この発明に係るイベント表示装置は、時間イベント表示手段は、前記イベントの状況として、イベントに関する値を表示することを特徴としている。
【００１６】
したがって、空間領域にイベントの状況を表示するとともに、イベントに関する値を時間領域に表示することができる。
【００１７】
(9)この発明に係るイベント表示装置は、空間イベント表示手段は、前記イベントの状況として、イベントに関する値を表示することを特徴としている。
【００１８】
したがって、時間領域にイベントの状況を表示するとともに、空間領域にイベントに関する値を表示することができる。
【００１９】
(10)この発明に係るイベント表示装置は、空間イベント表示手段は、前記イベントの時間分布において所定のしきい値を超えたイベントを表示することを特徴としている。
【００２０】
したがって、所定のしきい値を超えたイベントを、空間領域に表示することができる。
【００２１】
(11)この発明に係るイベント表示装置は、空間イベント表示手段は、前記イベントの時間分布において所定のしきい値を超えたイベントと超えないイベントとを区別して表示することを特徴としている。
【００２２】
したがって、空間領域において表示されたイベントにおいて、所定のしきい値を超えるものと超えないものとを区別して表示することができる。
【００２３】
(12)この発明に係るイベント表示装置は、しきい値を超えたイベントと超えないイベントの表示形態の区別は、前記空間イベント表示手段および前記時間イベント表示手段の双方において共通していることを特徴としている。
【００２４】
したがって、空間領域と時間領域におけるイベントの区別を共通化して、把握を容易にすることができる。
【００２５】
(13)この発明に係るイベント表示装置は、時間イベント表示手段は、前記しきい値をイベントの時間分布上に表示することを特徴としている。
【００２６】
したがって、しきい値を時間分布上において、容易に確認することができる。
【００２７】
(14)この発明に係るイベント表示装置は、しきい値は、イベントの時間分布上において非直線として表示されることを特徴としている。
【００２８】
したがって、時間的に変動するしきい値を、容易に確認することができる。
【００２９】
(15)この発明に係るイベント表示装置は、前記イベントの空間分布を、複数の領域に分割し、前記時間イベント表示手段は、各時点におけるイベントに関する量を、上記領域ごとに区別して表示することを特徴としている。
【００３０】
したがって、イベントの空間的区分を、時間的イベント表示に反映させることができ、把握が容易となる。
【００３１】
(16)この発明に係るイベント表示装置は、時間イベント表示手段は、一つのイベントの空間分布に対して、複数のイベントの時間分布を表示することを特徴としている。
【００３２】
したがって、複数のイベントの時間分布に対して、これを一つの空間分布にまとめて表示することができる。
【００３３】
(17)この発明に係るイベント表示装置は、マーカ表示手段は、一つの時間軸上に、複数組の第１マーカおよび第２マーカを表示することを特徴としている。
【００３４】
したがって、より詳細に表示対象期間を選択することができる。
【００３５】
(18)この発明に係るイベント表示装置は、マーカ表示手段は、前記装置が現在記録しているイベントの時間的範囲を示すデータ範囲マーカを時間軸上にさらに表示することを特徴としている。
【００３６】
したがって、表示装置に、どの範囲までのデータが存在するかを容易に知ることができる。
【００３７】
(19)この発明に係るイベント表示装置は、空間イベント表示手段は、  前記マーカによって指定された期間または前記第１マーカと第２マーカによって指定された期間において、対象が空間的に移動した場合には、当該対象の軌跡を表示することを特徴としている。
【００３８】
したがって、対象の移動を容易に把握することができる。
【００３９】
(20)この発明に係るイベント表示装置は、マーカが移動させられると、前記空間イベント表示手段は、当該マーカによって指定された時間範囲におけるイベントを表示するように、表示を変化させ、前記イベントの属性が時間経過とともに変化する場合には、変化の時点から時間経過とともに大きさの変化する図形を当該対象上に表示することを特徴としている。
【００４０】
したがって、対象の属性変化を時間経過の中で容易に把握することができる。
【００４１】
(21)(22)この発明に係るイベント表示装置は、再生指示が与えられると、第１マーカおよび第２マーカによって指定された時間範囲におけるイベントを、時間経過とともに、前記空間領域に表示するイベント再生手段をさらに備えたことを特徴としている。
【００４２】
したがって、指定期間におけるイベントの状況変化を容易に把握することができる。
【００４３】
(23)この発明に係るイベント表示装置は、イベントが空間領域において時間経過とともに移動する場合には、空間領域にその軌跡を表示することを特徴としている。
【００４４】
したがって、対象の移動を容易に把握することができる。
【００４５】
(24)この発明に係るイベント表示装置は、イベントの属性が時間経過とともに変化する場合には、変化の時点から時間経過とともに大きさの変化する図形を当該オブジェクト上に表示することを特徴としている。
【００４６】
したがって、時間経過の中での属性の変化を容易に把握することができる。
【００４７】
(25)この発明に係るイベント表示装置は、空間イベント表示手段は、前記空間領域に、さらに地図または図面を表示することを特徴としている。
【００４８】
したがって、イベントの空間的位置の把握が容易となる。
【００４９】
(26)この発明に係るイベント表示装置は、イベント表示装置は、サーバ装置と通信可能な端末装置であり、当該端末装置は、サーバ装置から地図または図面のデータおよびイベントのデータを受信し、これらに基づいて表示を行うことを特徴としている。
【００５０】
したがって、端末装置は、必要なデータをその都度取得するだけで、イベント表示を行うことができる。
【００５１】
(27)この発明に係るイベント表示装置は、端末装置は、前記サーバ装置から、前記イベントの時系列ヒストグラムのデータをさらに受信し、これに基づいて表示を行うことを特徴としている。
【００５２】
したがって、端末装置における処理負担が軽減され、表示が迅速となる。
【００５３】
(28)この発明に係るイベント表示装置は、イベント装置は、端末装置と通信可能なサーバ装置であり、前記各表示手段は、前記端末装置において各表示を行うために、前記端末装置に対し各表示のためのデータを送信することを特徴としている。
【００５４】
したがって、端末装置においては表示を行うだけであるので、処理が迅速となる。
【００５５】
この発明において、「空間領域」とは、少なくとも第１の軸、第２の軸がある領域をいい、二次元空間だけでなく三次元空間も含む概念である。
【００５６】
「イベント」とは、台風、地震などの自然現象の発生・経過や、土地・建物・人口・金額・価値などの所定時点における状況・変化や、車・人などの対象物の位置・移動などを含む概念である。
【００５７】
「イベントの状況」とは、イベントの属性、移動、価値、発生、頻度など数値化できる概念だけでなく、存在したかどうかなどの２値的に表される状況を含む概念である。
【００５８】
「イベントに関する値」とは、イベントについて数値化できる属性などを含む概念である。
【００５９】
「空間イベント表示手段」は、実施形態においては、ステップＳ１３〜Ｓ１５がこれに対応する。
【００６０】
「時間イベント表示手段」は、実施形態においては、ステップＳ１１、Ｓ１２がこれに対応する。
【００６１】
「マーカ表示手段」は、実施形態においては、ステップＳ１２がこれに対応する。
【００６２】
「時間軸上にマーカを設ける」という概念は、時間軸の上に重ねてマーカを表示する場合だけでなく、その近傍にマーカを表示するなど、時間軸と対応付けてマーカを表示する場合を含む概念である。
【００６３】
「プログラム」とは、ＣＰＵにより直接実行可能なプログラムだけでなく、ソース形式のプログラム、圧縮処理がされたプログラム、暗号化されたプログラム等を含む概念である。
【図面の簡単な説明】
【００６４】
【図１】この発明の第一の実施形態によるイベント表示装置の機能ブロック図である。
【図２】イベント表示装置のハードウエア構成である。
【図３】イベント表示プログラムのフローチャートである。
【図４】イベント表示プログラムのフローチャートである。
【図５】イベントデータの例である。
【図６】イベント表示の例である。
【図７】この発明の第二の実施形態によるイベント表示装置の機能ブロック図である。
【図８】イベント表示プログラムのフローチャートである。
【図９】イベント表示の例である。
【図１０】イベント表示の例である。
【図１１】イベント表示の例である。
【図１２】イベント表示の例である。
【図１３】この発明の第三の実施形態によるイベント表示装置の機能ブロック図である。
【図１４】イベント表示プログラムのフローチャートである。
【図１５】イベント表示の例である。
【図１６】イベント表示の例である。
【図１７】この発明の第四の実施形態によるイベント表示装置の機能ブロック図である。
【図１８】イベント表示プログラムのフローチャートである。
【図１９】イベントデータの例である。
【図２０】イベント表示の例である。
【図２１】この発明の第五の実施形態によるイベント表示装置の機能ブロック図である。
【図２２】イベント表示プログラムのフローチャートである。
【図２３】イベント表示の例である。
【図２４】イベント表示プログラムのフローチャートである。
【図２５】イベント表示の例である。
【図２６】従来のイベント表示例である。
【発明を実施するための形態】
【００６５】
１．第一の実施形態
1.1全体構成
図１に、この発明の一実施形態によるイベント表示装置の全体構成を示す。記録部２０には、地図データおよびイベントデータが記録されている。表示部には、空間領域１４と時間領域２８が設けられている。空間領域１４は、第１の軸３０と、これに直交する第２の軸３２によって定義される二次元平面である。時間領域２８は、時間軸１２と、これに直交する値軸３４によって定義される。
【００６６】
時間イベント表示手段２４は、記録部２０からイベントデータを読み出し、イベント発生件数を時系列のヒストグラムとして時間領域２８に表示する。マーカ表示手段２６は、時間軸１２上で移動操作可能なマーカ１０を表示する。
【００６７】
空間イベント表示手段２２は、記録部２０から地図データを読み出し、空間領域１４に表示する。さらに、前記マーカ１０によって選択された時点において発生したイベントのデータを記録部２０から読み出し、空間領域１４に表示する。
【００６８】
したがって、ユーザは、イベント発生のヒストグラムを時系列に把握しながら、マーカ１０を移動させ、所望の時点のイベント発生状況を地図上で確認することができる。
【００６９】
1.2ハードウエア構成
図２に、この発明の一実施形態によるイベント表示装置のハードウエア構成を示す。この実施形態では、インターネット回線などを介して、サーバ装置７０と通信可能な端末装置４０を、イベント表示装置としている。
【００７０】
ＣＰＵ４４には、ディスプレイ４２、メモリ４６、通信回路４８、ハードディスク５０、ＤＶＤ−ＲＯＭドライブ５２が接続されている。通信回路４８は、インターネットと接続するための回路である。
【００７１】
ハードディスク５０には、オペレーティングシステム５４、イベント表示プログラム５６が記録されている。イベント表示プログラム５６は、オペレーティングシステム５４と協働して、その機能を発揮するものである。オペレーティングシステム５４、イベント表示プログラム５６は、ＤＶＤ−ＲＯＭ６４に記録されていたものを、ＤＶＤ−ＲＯＭドライブ５２を介して、ハードディスク５０にイ
ンストールしたものである。
【００７２】
1.3イベント表示処理
図３に、イベント表示プログラムの全体フローチャートを示す。端末装置４０のＣＰＵ４４（以下、端末装置４０と省略することがある）は、ユーザによって入力されたユーザＩＤおよびパスワードを伴って、サーバ装置３０にアクセスする（ステップＳ１）。サーバ装置３０は、これを受けて、ユーザの認証を行う（ステップＳ５１）。
【００７３】
端末装置４０は、認証結果を受け取ると、ユーザの操作による指定にしたがって、イベントデータ要求をサーバ装置３０に送信する（ステップＳ２）。たとえば、所定期間内の日本における地震のデータを要求する。
【００７４】
要求を受けたサーバ装置３０は、指定されたイベントのデータを読み出し、地図データともに端末装置４０に送信する（ステップＳ５２）。端末装置４０は、これを受信してハードディスク５０に記録する（ステップＳ３）。さらに、端末装置４０は、記録されたイベントデータに基づいて、イベント表示を行う（ステップＳ４）。
【００７５】
図４に、ステップＳ４における表示処理の詳細なフローチャートを示す。まず、端末装置４０は、ハードディスク５０に記録されたイベントデータ６０に基づいて、ヒストグラムデータを生成する（ステップＳ１１）。
【００７６】
図５に、イベントデータ６０の例を示す。イベントＩＤ、震源地（この実施形態では、緯度・経度）、マグニチュード、発生日時・・・などが記録されている。端末装置４０は、このイベントデータ６０の発生日時に基づいて、所定期間（たとえば１月）ごとの地震の発生件数を算出する。
【００７７】
次に、端末装置４０は、上記で算出したヒストグラムを、ディスプレイ４２に表示する（ステップＳ１２）。これにより、図６に示すように、時間領域２８に、ヒストグラム８０が表示される。さらに、端末装置４０は、時間軸１２およびマーカ１０を表示する。なお、このマーカ１０は、ユーザのマウス操作等によって、時間軸１２の上を移動可能である。ユーザは、ヒストグラムをみながら、所定の時期にマーカを合わせることができる。たとえば、地震発生件数の少ない年月を選択してマーカ１０を移動させることができる。
【００７８】
次に、端末装置４０は、送信されてきた地図データをハードディスク５０から読み出して表示する（ステップＳ１３）。これにより、空間領域１４に地図８２が表示されることになる。
【００７９】
端末装置４０は、マーカ１０の位置を取得する（ステップＳ１４）。たとえば、マーカ１０の位置が、２０１０年９月であったとする。端末装置４０は、取得したマーカの位置に対応する期間（ここでは２０１０年９月）に発生したイベントを選択する。これは、イベントデータの日時に基づいて判断することができる。
【００８０】
さらに、端末装置４０は、選択したイベントデータに基づいて、地図上にイベント１６を表示する（ステップＳ１５）。この実施形態では、地震の震源を中心として、マグニチュードの大きさに応じた円としてイベント１６を表示する。したがって、空間領域１４には、マーカ１０の位置に対応する期間（２０１０年９月）に発生した地震が、イベント１６として表示される。
【００８１】
ユーザが、マーカ１０を移動させて期間を変更すると、空間領域１４に表示されるイベントもこれに対応して変更されることになる。この際、ユーザは、ヒストグラムを見ながらマーカ１０を移動させることができる。したがって、最も地震発生の少ない期間、地震発生の多い期間、発生頻度の変化の大きい期間などを表示させる際に、操作が容易となる。
【００８２】
1.4その他
(1)上記実施形態では、マーカ１０をユーザ操作によって移動するようにしている。たとえば、イベント発生の時間的変化の状況を、地図上で確認したい場合には、マーカ１０を徐々に移動させればこれを実現できる。しかし、再生ボタン（図示せず）を設け、これが押下されれば、端末装置４０が、時間軸の最初から（あるいは現在のマーカ１０の位置から）所定の速度でマーカ１０を移動させるようにしてもよい。
【００８３】
また、逆再生ボタン（時間を遡るように再生する）、早送り、巻き戻しボタン、一時停止ボタンなどを設けるようにしてもよい。
【００８４】
(2)上記実施形態では、マーカ１０によって指定された期間のイベントを、空間領域１４に表示するようにしている。さらに、マウスカーソルを時間軸１２上に置くことにより、当該期間のイベントを、上記のイベント表示とは異なる表示形態（たとえばリゾルブ表示）にて、空間領域１４に表示するようにしてもよい。
【００８５】
(3)上記実施形態では、端末装置４０においてヒストグラム（イベントに関する値）を算出するようにしている。しかし、これを、予めあるいはその都度、サーバ装置７０において算出し、端末装置４０に送信するようにしてもよい。
【００８６】
(4)上記実施形態では、マーカ１０を設けているが、マーカ１０を設けないことも可能である。この場合、空間領域におけるイベントの状況と、時間領域におけるイベントの状況を、併せて表示できるという効果が期待できる。
【００８７】
(5)上記実施形態では、空間領域１４は二次元的な表示を行っているが、三次元的な表示を行うようにしてもよい。
【００８８】
(6)本実施形態の内容および変形例は、その本質に反しない限り、他の各実施形態にも適用することができる。
【００８９】
２．第二の実施形態
2.1全体構成
図７に、この発明の第二の実施形態によるイベント表示装置の全体構成を示す。この実施形態では、マーカ表示手段２６は、第１のマーカ１０、第２のマーカ１１を、時間軸１２上に表示する。空間イベント表示手段２２は、第１のマーカ１０を開始点とし、第２のマーカ１１を終了点とする期間における、イベントを空間領域１４に表示する。
【００９０】
したがって、ユーザは、イベント発生のヒストグラムを時系列に把握しながら、第１のマーカ１０、第２のマーカ１１を移動させ、所望の期間のイベント発生状況を地図上で確認することができる。
【００９１】
2.2ハードウエア構成
この実施形態によるイベント表示装置のハードウエア構成は、図２に示す第一の実施形態と同じである。
【００９２】
2.3イベント表示処理
イベント表示プログラムの全体フローチャートは、図３と同様である。図８に、ステップＳ４のイベントデータ表示処理の詳細を示す。
【００９３】
端末装置４０は、ヒストグラムデータを生成する（ステップＳ１１）。端末装置４０は、時間領域２８に、時間軸１２、第１・第２のマーカ、ヒストグラムを表示する（ステップＳ１２）。端末装置４０は、空間領域１４に、地図データを表示する（ステップＳ１３）。図９に、表示例を示す。
【００９４】
端末装置４０は、第１のマーカ１０の位置を取得し、開始時点を取得する（ステップＳ１４ａ）。ここでは、２０１０年９月１５日が開始時点として取得されたものとする。端末装置４０は、第２のマーカ１１の位置を取得し、終了時点を取得する（ステップＳ１４ｂ）。ここでは、２０１１年２月２０日が終了時点として取得されたものとする。
【００９５】
次に、端末装置４０は、開始時点である２０１０年９月１５日から終了時点である２０１１年２月２０日までの期間に発生した地震を、イベントとして空間領域１４に表示する（ステップＳ１５）。
【００９６】
ユーザが、第１のマーカ１０、第２のマーカ１１を移動させて期間を変更すると、空間領域１４に表示されるイベントもこれに対応して変更されることになる。
【００９７】
なお、第１のマーカ１０、第２のマーカ１１は、それぞれをマウスによってドラッグすることにより、独立して移動操作可能である。また、第１のマーカ１０と第２のマーカ１１の間をマウスによってドラッグすることにより、両者の間隔を保ったまま、同時に移動操作可能である。
【００９８】
2.4その他
(1)上記実施形態では、空間領域１４にイベントの背景として地図を表示している。しかし、背景として何も表示しなくともよいし、図面など他の情報を表示するようにしてもよい。たとえば、店内の図面を表示し、どの場所の商品が売れたかをイベントとして表示するようにしてもよい。
【００９９】
(2)上記実施形態では、イベントとして地震を例に示したが、人口、生産額、気温などをイベントとして表示するようにしてもよい。
【０１００】
(3)上記実施形態では、イベントを示す円の大きさを、地震のマグニチュードの大きさに対応させたが、同一地域における発生回数などを対応させるようにしてもよい。また、地震以外のイベントにおいては、当該イベントの属性（大きさ、量、頻度など）に対応させるようにしてもよい。
【０１０１】
(4)上記実施形態では、ヒストグラムを時間軸１２上に表示するようにしている。しかし、ヒストグラム以外のイベントの属性値（地震のマグニチュードの合計値、気温など）を時間軸１２上に表示するようにしてもよい。また、時間領域２８の縦軸３４に数値的な意味を持たせず、図１０に示すように、イベントがあったかどうかだけを示す表示８０を行うようにしてもよい。
【０１０２】
(5)また、図１１に示すように、時間軸１２上に、当該端末装置４０に記録されているイベントデータの範囲（上記実施形態では、サーバ装置７０からダウンロードした範囲）を、ポインタ１３によって表示するようにしてもよい。これにより、ヒストグラムのない期間について、データ自体が端末装置４０に記録されていないのか、データはあるがイベントがない期間であるのかを容易に判断することができる。
【０１０３】
(6)上記実施形態では、マーカ１０、１１によって挟まれた期間のイベントを、空間領域１４に表示している。しかし、マーカ１０、１１によって挟まれていない期間（マーカ１０、１１の外側の期間）のイベントを、空間領域１４に表示するようにしてもよい。
【０１０４】
(7)また、マーカ１０、１１によって、空間領域１４に表示されることとなった期間のヒストグラムと、表示されない期間のヒストグラムとを区別して表示するようにしてもよい。たとえば、マーカ１０、１１に挟まれた期間のイベントを空間領域１４に表示する場合、時間領域２８において、マーカ１０、１１に挟まれていない期間のヒストグラムをリゾルブ表示（他よりも薄く表示）するようにしてもよい。
【０１０５】
(8)上記実施形態では、一つの時間軸１２について、１組のマーカ１０、１１を設けている。しかしながら、２組以上のマーカを設け、これらによって指定された期間（たとえば、各マーカによって挟まれた期間全て）を対象として、空間領域にイベントを表示するようにしてもよい。
【０１０６】
(9)さらに、図１１に示すように、イベントの地域を分けて（図１１では、西日本と東日本に分けている）、ヒストグラムにおいて、色や模様によって区別できるようにしている。たとえば、濃色は西日本、淡色は東日本というようにしている。
【０１０７】
また、図１２に示すように、複数の時間領域２８ａ、２８ｂを設けるようにしてもよい。この実施形態では、東日本のヒストグラムを時間領域２８ａに、西日本のヒストグラムを時間領域２８ｂに表示するようにしている。この実施形態では、それぞれの時間軸１２ａ、１２ｂ上に、独立して移動可能なマーカ１０ａ、１１ａ、マーカ１０ｂ、１１ｂを表示している。
【０１０８】
しかし、一方のマーカ１０ａ、１１ａ（１０ｂ、１１ｂ）を移動すれば、他方のマーカ１０ｂ、１１ｂ（１０ａ、１０ｂ）が、追従して移動するようにしてもよい。
【０１０９】
あるいは、いずれか一方の時間軸１２ａ（または１２ｂ）のみにマーカ１０ａ、１１ａ（またはマーカ１０ｂ、１１ｂ）を設けるようにしてもよい。この場合、空間領域における、西日本のイベントの表示範囲も、東日本のイベントの表示範囲も、マーカ１０ａ、１０ｂによって決定されることになる。
【０１１０】
(10)本実施形態の内容および変形例は、その本質に反しない限り、他の各実施形態にも適用することができる。
【０１１１】
３．第三の実施形態
3.1全体構成
図１３に、この発明の第三の実施形態によるイベント表示装置の全体構成を示す。この実施形態では、たとえば、各年・月における、都道府県の工場出荷額をイベントデータとしている。空間イベント表示手段２２は、工場出荷額に応じた大きさの円を、対応する都道府県上に表示することになる。
【０１１２】
時間イベント表示手段２４は、記録部２０からイベントデータを読み出し、各年・月における工場出荷額の全国平均を算出し、時系列に時間領域２８に表示する。さらに、時間イベント表示手段２４は、各年月ごとの全国平均に基づいて、年月を通しての期間平均を算出し、しきい値ライン２９を表示する。
【０１１３】
空間イベント表示手段２２は、マーカ１０の年月において、この期間平均値を上回った都道府県の工場出荷額のみを、空間領域１４に表示する。したがって、期間平均値を上回った工場出荷額のみを、空間領域１４に表示し、分析が容易となる。
【０１１４】
3.2ハードウエア構成
この実施形態によるイベント表示装置のハードウエア構成は、図２に示す第一の実施形態と同じである。
【０１１５】
3.3イベント表示処理
この実施形態においては、各都道府県における期間ごとの工場出荷額が、イベントデータとしてサーバ装置から送信されるものとする。イベント表示プログラムの全体フローチャートは、図３と同様である。図１４に、ステップＳ４のイベントデータ表示処理の詳細を示す。
【０１１６】
端末装置４０は、各都道府県における期間ごとの工場出荷額に基づいて、工場出荷額の全国平均値を、各期間ごとに算出する（ステップＳ１１ａ）。次に、端末装置４０は、工場出荷額の全国平均の全期間（ここでは、２０１０年１月から２０１１年１２月まで）をつうじての平均値（全期間全国平均）を算出する（ステップＳ１１ｂ）。
【０１１７】
端末装置４０は、時間領域２８に、時間軸１２、第１・第２のマーカ１０、１１、各期間ごとの工場出荷額の全国平均値を時間軸１２上に表示する（ステップＳ１２）。さらに、端末装置４０は、ステップＳ１１ｂにおいて算出した全期間全国平均を、しきい値ライン２９として表示する。
【０１１８】
さらに、端末装置４０は、時間軸１２およびマーカ１０、１１を表示する。端末装置４０は、第１のマーカ１０の位置を取得し、開始時点を得る（ステップＳ１４ａ）。さらに、第２のマーカ１０の位置を取得し、終了時点を得る（ステップＳ１４ｂ）。そして、開始時点（２０１０年９月）から終了時点（２０１１年２月）までの、各都道府県の工場出荷額のうち、全期間全国平均を上回ったものだけを抽出し、これを空間領域１４に表示する（ステップＳ１５）。
【０１１９】
このようにして、図１５に示すように、所定のしきい値を上回ったイベントのみを、地図上に表示することができる。
【０１２０】
3.4その他
(1)上記実施形態では、しきい値を超えた都道府県の工場出荷額（期間内の工場出荷額合計）を円の大きさで表示している。つまり、円の大きさは、工場出荷額に比例するようにしている。しかし、しきい値を超えた分の工場出荷額に比例した大きさの円を表示するようにしてもよい。
【０１２１】
(2)上記実施形態では、全期間を通じての平均値をしきい値ライン２９として表示するようにしている。しかし、各期間ごとに異なるしきい値を設定するようにしてもよい。たとえば、図１６に示すように、各期間の全国平均の８０％をしきい値として設定し、しきい値ライン２９を表示するようにしてもよい。
【０１２２】
(3)上記実施形態では、しきい値を超えた都道府県の工場出荷額のみを空間領域１４に表示するようにしている。しかし、しきい値を超えていない都道府県の工場出荷額も表示するようにしてもよい。この場合、円の表示形態（色、模様など）を変えて、両者を区別できるようにしてもよい。
【０１２３】
(4)上記実施形態では、しきい値ライン２９は、端末装置４０が算出して表示し、これをユーザが移動させることはできなかった。しかし、ユーザの操作によって、しきい値ライン２９を上下に移動できるようにしてもよい。
【０１２４】
(5)本実施形態の内容および変形例は、その本質に反しない限り、他の各実施形態にも適用することができる。
【０１２５】
４．第四の実施形態
4.1全体構成
図１７に、この発明の第四の実施形態によるイベント表示装置の全体構成を示す。この実施形態では、各時間（たとえば１時間ごと）におけるタクシーの移動状況を把握するためのイベント表示装置を構築している。たとえば、タクシー会社が、乗務員の勤務状況を把握するために用いることができる。
【０１２６】
時間イベント表示手段２４は、記録部２０からイベントデータとして各時刻におけるタクシーの現在位置を読み出す。各時間帯において、移動したタクシーの台数を算出する。これをヒストグラムデータとし、時間領域２８に表示する。
【０１２７】
空間イベント表示手段２２は、第１のマーカ１０と第２のマーカ１１の期間内において、移動したタクシーの軌跡を、空間領域１４に表示する。したがって、タクシーの移動状況を容易に把握することができる。
【０１２８】
4.2ハードウエア構成
この実施形態によるイベント表示装置のハードウエア構成は、図２に示す第一の実施形態と同じである。
【０１２９】
4.3イベント表示処理
この実施形態においては、各時刻におけるタクシーの位置が、イベントデータとしてサーバ装置から送信されるものとする。図１９に、イベントデータの例を示す。
【０１３０】
イベント表示プログラムの全体フローチャートは、図３と同様である。図１８に、ステップＳ４のイベントデータ表示処理の詳細を示す。端末装置４０は、各時間内（この実施形態では１時間ごと）において、位置の変化があった（つまり移動した）タクシーの台数を算出する（ステップＳ１１）。この、各時間におけるタクシーの移動台数をヒストグラムデータとする。
【０１３１】
次に、端末装置４０は、上記で算出したヒストグラムを、ディスプレイ４２に表示する（ステップＳ１２）。これにより、図２０に示すように、時間領域２８に、移動タクシー数のヒストグラム８０が表示される。さらに、端末装置４０は、時間軸１２および第１のマーカ１０、第２のマーカ１１を表示する。なお、このマーカ１０、１１は、ユーザのマウス操作等によって、時間軸１２の上を移動可能である。ユーザは、ヒストグラムをみながら、所定の時期にマーカを合わせることができる。たとえば、タクシー移動件数の少ない（多い）時間帯を選択してマーカ１０、１１を移動させることができる。
【０１３２】
次に、端末装置４０は、送信されてきた地図データをハードディスク５０から読み出して表示する（ステップＳ１３）。これにより、空間領域１４に地図が表示されることになる。なお、図２０においては、空間領域１４に表示された地図は省略されている。
【０１３３】
端末装置４０は、第１のマーカ１０の位置を取得する（ステップＳ１４ａ）。たとえば、第１のマーカ１０の位置が１０時であったとする。次に、端末装置４０は、第２のマーカ１１の位置を取得する（ステップＳ１４ｂ）。たとえば、第２のマーカ１１の位置が１４時であったとする。これにより、１０時から１４時までの範囲が指定されたことになる。
【０１３４】
さらに、端末装置４０は、上記指定された時間範囲において移動したタクシーのデータを抽出する。そして、時間範囲内における当該タクシーの移動経路を、空間領域１４の地図上に表示する（ステップＳ１５）。
【０１３５】
4.4その他
(1)上記実施形態では、第１のマーカ１０と第２のマーカ１１によって指定された時間範囲における対象物の移動軌跡を、空間領域１４に表示している。しかし、１つのマーカ１０のみを設け、このマーカ１０の移動（手動操作または再生ボタンによる移動）による時刻変化にともなって移動した対象物の軌跡を表示するようにしてもよい。
【０１３６】
(2)上記実施形態では、時間範囲において移動した対象物のみを、空間領域１４に表示するようにしている。時間範囲において移動しなかった対象物も、空間領域１４に表示してもよい。この場合、移動した対象物と移動しなかった対象物の表示形態（色など）を変えて、区別可能にしてもよい。さらに、マーカによって指定された時間範囲外の対象物も、時間領域１４に表示してもよい。この場合も、時間範囲外の対象物と、時間範囲内の対象物の表示形態（色など）を変えて、区別可能にしてもよい。
【０１３７】
(3)上記実施形態では、移動した対象物の数をヒストグラムとして表示するようにしている。しかし、移動した対象物の合計移動距離を表示するようにしてもよい。
【０１３８】
(4)上記実施形態では、タクシーを対象物とした位置情報をイベントデータとした。しかし、タクシー以外の車両や車両以外の乗り物、人、台風などの自然現象などを対象物とすることができる。
【０１３９】
(5)本実施形態の内容および変形例は、その本質に反しない限り、他の各実施形態にも適用することができる。
【０１４０】
５．第五の実施形態
5.1全体構成
図２１に、この発明の第五の実施形態によるイベント表示装置の全体構成を示す。この実施形態では、たとえば土地の所有者の変更を把握するためのイベント表示装置を構築している。この実施形態では、各時点における土地の所有者、土地を特定するＩＤなどによって、イベントデータが構成されている。
【０１４１】
時間イベント表示手段２４は、記録部２０からイベントデータとして各時点における土地の所有者を読み出す。各期間における土地所有者の変更（例えば売買による変更）の数を算出し、ヒストグラムデータとする。これを、時間領域２８に表示する。
【０１４２】
空間イベント表示手段２２は、マーカ１０の位置する期間において、所有者の変更があった土地９２を、他の土地と区別して表示する。また、この実施形態において、空間イベント表示手段２２は、マーカ１０を移動（ユーザ操作または再生ボタンによる）させると、その期間移動につれて、土地所有者の変更があった時点に、当該土地を中心とする円９０を表示する。さらに、マーカ１０を移動させると、空間イベント表示手段２２は、当該円９０を徐々に大きくし、マーカ１０が所定の位置（所有者変更から所定期間経過した時点）までくると、円９０を消失させる。
【０１４３】
以上のようにすることで、所有者の変更のような対象物の位置に変化が無く、属性が変化するだけの場合であっても、これをマーカ１０を移動させることで容易に把握することができる。
【０１４４】
5.2ハードウエア構成
この実施形態によるイベント表示装置のハードウエア構成は、図２に示す第一の実施形態と同じである。
【０１４５】
5.3イベント表示処理
イベント表示プログラムの全体フローチャートは、図３と同様である。図２２に、ステップＳ４のイベントデータ表示処理の詳細を示す。端末装置４０は、各期間内（この実施形態では１月ごと）において、所有者の変化があった土地の数を算出する（ステップＳ１１）。この、各期間における所有者変動の数をヒストグラムデータとする。
【０１４６】
次に、端末装置４０は、上記で算出したヒストグラムを、ディスプレイ４２に表示する（ステップＳ１２）。これにより、図２３に示すように、時間領域２８に、所有者が変更した土地のヒストグラム８０が表示される。さらに、端末装置４０は、時間軸１２およびマーカ１０を表示する。
【０１４７】
次に、端末装置４０は、送信されてきた地図データをハードディスク５０から読み出して表示する（ステップＳ１３）。これにより、空間領域１４に地図が表示されることになる。
【０１４８】
端末装置４０は、マーカ１０の位置を取得する（ステップＳ１４）。端末装置４０は、マーカ１０によって指定された期間において所有者の変動した土地について、斜線などを施して表示を行う（ステップＳ１５）。図２３に、おいては、土地９２において、所有者変動があったことが示されている。これにより、当該期間において、いずれの土地についての所有者変更があったかを容易に知ることができる。
【０１４９】
さらに、この実施形態においては、マーカ１０を移動させることにより、所有者の変化した土地について、これを見いだしやすいような表示を行っている。図２５Ａに示すように、マーカ１０の置かれた時点にて、所有者が変更された土地９４につき斜線が施されて、区別可能にしている。しかし、これだけでは、マーカ１０を次の期間に移動させると、斜線がなくなる。したがって、マーカ１０を速く移動させたような場合には、この表示を見落とす可能性もある。
【０１５０】
そこで、この実施形態では、図２５Ａに示すように、所有者が変更された土地９４を中心とする円９０を表示する。マーカ１０が次の期間に移動されると、この円９０の直径を大きくして表示する。したがって、マーカ１０の移動に伴って、波紋のように、円９０が徐々に大きくなるように表示される。この時、円９０の中心には、所有者に変更があった土地９４があるので、容易にこれを判断することができる。さらに、マーカ１０を移動させると、円９０の表示を止める。
【０１５１】
上記の処理フローチャートを図２４に示す。端末装置４０は、マーカの位置（期間）を取得する（ステップＳ２２）。次に、最初の土地を対象として、当該期間において所有者に変動があったかどうかを判断する（ステップＳ２３）。イベントデータ中の、所有者の項目に変化があったかどうかによって判断することができる。
【０１５２】
所有者に変動があれば、当該土地に斜線表示を施す（ステップＳ２４）。次に、端末装置４０は、当該土地９４を中心とした円９０を表示する（ステップＳ２５）。これにより、図２５Ａに示すように、土地９４に斜線が施され、円９０が表示される。さらに、端末装置４０は、当該土地９４に対して、変動フラグを立てる（フラグを「１」にする）（ステップＳ２６）。
【０１５３】
端末装置４０は、全ての土地について処理したかどうかを判断する（ステップＳ２７）。未処理の土地があれば、次の土地を対象として、ステップＳ２３以下の処理を繰り返す（ステップＳ２８）。
【０１５４】
次の土地について所有者の変動があれば、上記と同様の処理を行う。所有者の変動がなければ、上記の斜線表示処理などは行わない。
【０１５５】
このようにして、全ての土地についての処理が終了すると、移動しているマーカの新たな位置を取得する（ステップＳ２２）。端末装置４０は、当該期間において、最初の土地につき、所有者の変動があったかどうかを判断する（ステップＳ２３）。そして、変動があればその表示と円を表示する。これを、全ての土地について繰り返す。
【０１５６】
たとえば、土地９４に関して、前の期間において所有者変動があったものの、この期間においてはさらなる所有者の変動はなかったものとする。この場合、ステップＳ２３から、ステップＳ２９に進むことになる。ステップＳ２９において、当該土地９４について、変動フラグが立っているか（「１」かどうか）を判断する。ここでは、土地９４について、変動フラグが立っているので、ステップＳ３０に進む。ステップＳ３０においては、円９０の表示が４回を超えていないかどうかを判断する。超えていなければ、端末装置４０は、一周り大きな円９０を表示する（ステップＳ３１）。この表示状態を示すのが、図２５Ｂである。
【０１５７】
以上のような処理を繰り返し、変動のあった土地９４について円９０を３回表示すると、次は円９０の表示を止め、変動フラグを降ろす（「０」にする）（ステップＳ３２）。
【０１５８】
したがって、変動のあった土地９２については、波紋のように円がひろがるように表示を行うことができる。
【０１５９】
5.4その他
(1)上記実施形態においては、円９０を表示するようにしたが、その他の図形を表示するようにしてもよい。その場合、中心がどこであるのか判断しやすい図形であることが好ましい。
【０１６０】
(2)上記実施形態においては、円９０がマーカ１０の移動につれて、徐々に大きくなるように表示している。しかし、大きさの変動は、波打つように（つまり大きくなったり小さくなったり）してもよい。
【０１６１】
また、円９０の大きさを変えることなく表示してもよい。あるいは、徐々に小さくなるように表示してもよい。
【０１６２】
(3)上記実施形態では、マーカ１０を時間が経過する方向に動かした場合について説明したが、時間が戻る方向に動かした場合も同様に適用することができる。
【０１６３】
(4)上記実施形態では、土地の所有者について説明したが、その他の属性（価格、用途地域の種別など）を対象としてもよい。また、土地以外の対象物の属性についても適用できる。
【０１６４】
(5)本実施形態の内容および変形例は、その本質に反しない限り、他の各実施形態にも適用することができる。
【０１６５】
６．その他の実施形態
上記実施形態では、イベント表示装置を端末装置として構築している。しかし、空間イベント表示手段２２、時間イベント表示手段２４、マーカ表示手段２６の一部または全部を、サーバ装置７０の側に設け、端末装置４０は表示データを受け取るようにしてもよい。
【０１６６】
また、逆に、上記各実施形態において、イベントデータも端末装置４０の側に記録するようにしてもよい。この場合、サーバ装置７０は不要となる。
【図２】
2015225323.tif 000003
【図３】
2015225323.tif 000004
【図４】
2015225323.tif 000005
【図５】
2015225323.tif 000006
【図８】
2015225323.tif 000007
【図１４】
2015225323.tif 000008
【図１８】
2015225323.tif 000009
【図１９】
2015225323.tif 000010
【図２２】
2015225323.tif 000011
【図２４】
2015225323.tif 000012
【図１】
2015225323.tif 000013
【図６】
2015225323.tif 000014
【図７】
2015225323.tif 000015
【図９】
2015225323.tif 000016
【図１０】
2015225323.tif 000017
【図１１】
2015225323.tif 000018
【図１２】
2015225323.tif 000019
【図１３】
2015225323.tif 000020
【図１５】
2015225323.tif 000021
【図１６】
2015225323.tif 000022
【図１７】
2015225323.tif 000023
【図２０】
2015225323.tif 000024
【図２１】
2015225323.tif 000025
【図２３】
2015225323.tif 000026
【図２５】
2015225323.tif 000027
【図２６】
2015225323.tif 000028